(57)【要約】      （修正有）【課題】無線送信機の取り扱いを容易にすることが可能な無線送信機用ホルダーを提供する。【解決手段】、無線送信機用ホルダー２１は、無線送信機を収容する収容ケース２２と、収容ケース２２を懸架する吊下げケーブル２３を有する。吊下げケーブル２３は、収容ケース２２を巻上機に吊下げるためのケーブルである。吊下げケーブル２３には保持ワイヤ２７が組み込まれている。このため、保持ワイヤ２７の一端を巻上機に引っ掛けることで、収容ケース２２を巻上機の操作者が引張っても、電源ケーブル２５が直接引張られることを防止する。【選択図】図２
2019094195.tif 000002
【特許請求の範囲】
【請求項１】
巻上機を遠隔操作する無線送信機を収容する収容ケースと、
前記収容ケースを前記巻上機に吊下げるためのケーブルと、
を有することを特徴とする無線送信機用ホルダー。
【請求項２】
前記ケーブルは、前記収納ケースの上面に設けられており、少なくとも電源ケーブルを有することを特徴とする請求項１に記載の無線送信機用ホルダー。
【請求項３】
前記電源ケーブルの一端は前記収容ケースの第１の充電端子と接続されており、前記電源ケーブルの他端は前記巻上機に接続されており、
前記収容ケースの前記第１の充電端子は、前記無線送信機の第２の充電端子と電気的に接続されることを特徴とする請求項２に記載の無線送信機用ホルダー。
【請求項４】
前記無線送信機が前記収容ケースに収容された場合、前記無線送信機は、前記電源ケーブルと前記第１の充電端子及び前記第２の充電端子を介して充電されることを特徴とする請求項３に記載の無線送信機用ホルダー。
【請求項５】
前記収納ケースの前記第１の充電端子はオス型ピンで形成され、
前記無線送信機の第２の充電端子はメス型ピンで形成され、
前記無線送信機を前記収容ケースに収容することにより、前記オス型ピンと前記メス型ピンが互いにピン接続されて、前記第１の充電端子と前記第２の充電端子が電気的に接続されることを特徴とする請求項３に記載の無線送信機用ホルダー。
【請求項６】
前記収容ケースの背面には、前記収容ケースを前記巻上機に取付け可能な引掛爪が設けられていることを特徴とする請求項１に記載の無線送信機用ホルダー。
【請求項７】
前記収納ケースの両側面には、前記無線送信機を収容した場合、前記無線送信機の係止穴に勘合する係止爪が設けられていることを特徴とする請求項１に記載の無線送信機用ホルダー。
【請求項８】
前記収納ケースの側面には、無線の有資格者が保持するカギで施錠可能なカギ穴が設けられており、前記カギを前記カギ穴に挿入することにより前記無線送信機を前記収納ケースから取り外し可能に構成されていることを特徴とする請求項１に記載の無線送信機用ホルダー。
【請求項９】
無線送信機用ホルダーを有する巻上機であって、
前記無線送信機用ホルダーは、
前記巻上機を遠隔操作する無線送信機を収容する収容ケースと、
前記収容ケースを前記巻上機に吊下げるためのケーブルと、
を有することを特徴とする巻上機。
【請求項１０】
前記ケーブルは、前記収納ケースの上面に設けられており、少なくとも電源ケーブルを有することを特徴とする請求項９に記載の巻上機。
【請求項１１】
前記電源ケーブルの一端は前記収容ケースの第１の充電端子と接続されており、前記電源ケーブルの他端は前記巻上機に接続されており、
前記収容ケースの前記第１の充電端子は、前記無線送信機の第２の充電端子と電気的に接続されることを特徴とする請求項１０に記載の巻上機。
【請求項１２】
前記無線送信機が前記収容ケースに収容された場合、前記無線送信機は、前記電源ケーブルと前記第１の充電端子及び前記第２の充電端子を介して充電されることを特徴とする請求項１１に記載の巻上機。
【請求項１３】
前記収納ケースの前記第１の充電端子はオス型ピンで形成され、
前記無線送信機の第２の充電端子はメス型ピンで形成され、
前記無線送信機を前記収容ケースに収容することにより、前記オス型ピンと前記メス型ピンが互いにピン接続されて、前記第１の充電端子と前記第２の充電端子が電気的に接続されることを特徴とする請求項１１に記載の巻上機。
【請求項１４】
前記収容ケースの背面には、前記収容ケースを前記巻上機に取付け可能な引掛爪が設けられていることを特徴とする請求項９に記載の巻上機。
【請求項１５】
前記収納ケースの両側面には、前記無線送信機を収容した場合、前記無線送信機の係止穴に勘合する係止爪が設けられていることを特徴とする請求項９に記載の巻上機。
【発明の詳細な説明】
【技術分野】
【０００１】
本発明は、無線送信機用ホルダー及び巻上機に関する。
【背景技術】
【０００２】
無線送信機の操作により、地上から遠隔操作で巻上機を運転する無線操作方法が知られている。
この無線操作方法に関連する技術として、特許文献１がある。特許文献１では、ホイスト（巻上機）は天井クレーンのガーダーに懸架され、巻上、横行及び走行動作を行う。ホイスト制御盤は、無線受信部及びホイスト制御部を内蔵し、本体に取り付けられている。
【０００３】
無線送信機から送出される電波は、ホイスト制御盤に付けられた受信アンテナで受けられ、無線受信部に与えられる。操作者は、無線送信機の操作押しボタンを押すことによって地上から遠隔操作でホイストを任意に運転する。
【先行技術文献】
【特許文献】
【０００４】
【特許文献１】特開平１０−３１６３６２号公報
【発明の概要】
【発明が解決しようとする課題】
【０００５】
特許文献１の無線操作方法は、受信機を備えた巻上機と無線送信機が完全に分離している。このため、操作範囲の自由度がある反面、巻上機を操作していない時には、無線送信機を身につけて作業するか、どこかに置いて作業する必要がある。この結果、無線送信機が作業の邪魔になったり、無線送信機を紛失してしまったり、操作者以外の者が不意に触って誤作動を起こしたりすることがあった。
このように、特許文献１の無線操作方法は、無線送信機の取り扱いが面倒である。
【０００６】
本発明の目的は、無線送信機の取り扱いを容易にすることが可能な無線送信機用ホルダー及び巻上機を提供することにある。
【課題を解決するための手段】
【０００７】
本発明の一態様の無線送信機用ホルダーは、巻上機を遠隔操作する無線送信機を収容する収容ケースと、前記収容ケースを前記巻上機に吊下げるためのケーブルとを有することを特徴とする。
【０００８】
本発明の一態様の巻上機は、無線送信機用ホルダーを有する巻上機であって、前記無線送信機用ホルダーは、前記巻上機を遠隔操作する無線送信機を収容する収容ケースと、前記収容ケースを前記巻上機に吊下げるためのケーブルとを有することを特徴とする。
【発明の効果】
【０００９】
本発明の一態様によれば、無線送信機の取り扱いを容易にすることができる。
【図面の簡単な説明】
【００１０】
【図１】巻上機の外観図である。
【図２】実施例の無線送信機用ホルダーの構成を示す図であり、（ａ）は無線送信機用ホルダーの正面図であり、（ｂ）は無線送信機用ホルダーの側面図である。
【図３】無線送信機の構成を示す図である。
【図４】実施例の無線送信機用ホルダーの動作を説明するための図である。
【図５】実施例の無線送信機用ホルダーの動作を説明するための図である。
【図６】実施例の無線送信機用ホルダーの動作を説明するための図である。
【発明を実施するための形態】
【００１１】
従来の無線操作方法は、受信機を備えた巻上機と無線送信機が完全に分離している。このため、無線送信機が作業の邪魔になったり、無線送信機を紛失してしまったり、操作者以外の者が不意に触って誤作動を起こする問題があった。
【００１２】
また、無線送信機は、充電や電池の交換が都度必要であり、操作中に充電切れや電池切れによる作業中断の問題があった。
また、５ｔ以上のクレーンを無線操作する場合は、クレーン運転免許が必要であり、免許保有者以外の者は操作できないという問題があった。
【００１３】
そこで、実施形態では、無線送信機用ホルダーを巻上機から吊下げケーブルを介して懸架させて、無線送信機用ホルダーに無線送信機の充電機能を備える。これにより、無線送信機の未使用時の紛失や誤作動及び無線送信機の未使用時の充電を可能にする。
【００１４】
また、無線の有資格者のみが保持するカギの操作により無線送信機を収納ケースから取り外し可能に構成することにより、無線送信機の使用を管理する。
以下、図面を用いて、実施例について説明する。
【実施例】
【００１５】
まず、図１を参照して、巻上機の構成について説明する。
巻上機１は、トロリー９を介して横行レール２に設置されている。巻上機１には、無線受信部４を内蔵した制御盤３が設けられている。
【００１６】
無線送信機５から送出される電波は、制御盤３に設けられた受信アンテナ６で受信され無線受信部４に送られる。巻上機１の操作者は、無線送信機５の操作押しボタン７を押すことによって地上から遠隔操作で巻上機１を任意に運転する。
【００１７】
まず、図３を参照して、無線送信機５の構成について説明する。
図３に示すように、無線送信機５は、底面部に充電用の外部電源と接続するための充電端子３１が設けられている。また、側面部には、後述する無線送信機用ホルダー２１の収用ケース２２に設けられた係止爪２６と勘合する係止穴３２が設けられている。巻上機１の操作者は、無線送信機５の操作押しボタン７を押すことによって巻上機１を遠隔操作する。
【００１８】
次に、図２を参照して、実施例の無線送信機用ホルダーの構成について説明する。
ここで、図２（ａ）は無線送信機用ホルダーの正面図であり、図２（ｂ）は無線送信機用ホルダーの側面図である。
【００１９】
図２に示すように、無線送信機用ホルダー２１は、無線送信機５を収容する収容ケース２２と、収容ケース２２を懸架する吊下げケーブル２３を有する。吊下げケーブル２３は、収容ケース２２を巻上機１に吊下げるためのケーブルである。
【００２０】
収容ケース２２は、無線送信機５を収容するための容器である。収容ケース２２は背面、両側の側面、上面、底面で構成され、無線送信機５を収納するのに適したサイズで、無線送信機５を簡単に収納できるよう正面が開放した箱形を形成している。上面の内面には無線送信機５の充電端子３１と接続する充電端子２４が設けられている。
【００２１】
お互いにピン接続可能なように、無線送信機５の充電端子３１はメス型ピンで形成され、収納ケース２２の充電端子２４はオス型ピンで形成されている。無線送信機５を収容ケース２２に収容することにより、充電端子２４のオス型ピンと充電端子３１のメス型ピンが互いにピン接続されて、無線送信機５の充電端子３１と収納ケース２２の充電端子２４が電気的に接続される。収容ケース２２の充電端子２４は、後述する電源ケーブル２５と電気的に連通している。
【００２２】
収納ケース２２の両側面には係止爪２６が設けられている。無線送信機５を収納ケース２２に収容した場合、係止爪２６は無線送信機５の係止穴に勘合して無線送信機５を収納ケース２２に固定する。係止爪２６は弾性揺動可能に構成されており、簡単に片手で取り外しが可能である。
なお、係止爪２６によるスナップフィット構造の代わりに、マグネットやマジックテープ（登録商標）などのワンタッチで固定可能な構造を採用しても良い。
【００２３】
収納ケース２２の上面には吊下げケーブル２３が設けられている。吊下げケーブル２３は、電源ケーブル２５と保持ワイヤ２７が一体となって形成されている。電源ケーブル２５の一端は、収容ケース２２の充電端子２４と接続されている。電源ケーブル２５の他端は、巻上機１内に配線されている。
【００２４】
巻上機１に通電されている場合、電源ケーブル２５を介して充電端子２４は通電状態になる。これにより、収納ケース２２に収容された無線送信機５の充電が可能となる。
また、吊下げケーブル２３には保持ワイヤ２７が組み込まれている。このため、保持ワイヤ２７の一端を巻上機１に引っ掛けることで、収容ケース２２を巻上機１の操作者が引張っても、電源ケーブル２５が直接引張られることを防止する。
【００２５】
収容ケース２２背面には引掛爪２８が設けられている。巻上機１の収納器４１（図４参照）に備えられた爪受部４４で引掛爪２８を保持することにより、収容ケース２２を巻上機１に取付け可能である。この結果、無線送信機５の操作時に、無線送信機用ホルダー２１が操作の邪魔になることを防止する。
【００２６】
また、図２（ｂ）に示すように、無線送信機用ホルダー２１の側面には施錠用のシリンダー２９とカギ穴２０が設けられている。無線送信機５を無線送信機５用ホルダー２１の収容ケース２２に収容した際に、同じく無線送信機５側のシリンダーとカギ穴が一致するためカギを用いて施錠が可能である。
【００２７】
このようにして、カギにより無線送信機５の無線送信機用ホルダー２１への着脱を管理可能である。つまり、カギを無線の有資格者のみに保持させることにより、資格のない作業者は無線送信機５を無線送信機用ホルダー２１から取り外すことができない。この結果、資格のない作業者が無線操作で巻上機１を操作することを防止することができる。
【００２８】
次に、図４〜６を参照して、実施例の無線送信機用ホルダー２１の動作について説明する。
【００２９】
図５は初期状態である無線操作時の動作を示す。
無線操作時は、無線送信機用ホルダー２１を使用しない。このため、巻上機１に備える収納器４１の側面に設けた爪受部４４に無線送信機用ホルダー２１の背面に備える引掛爪２８（図２（ｂ）参照）を引っ掛ける。これにより、無線送信機用ホルダー２１が巻上機１の収納器４１に保持される。
【００３０】
この結果、無線操作時において、無線送信機用ホルダー２１と一体化した吊下げケーブル２３を他の設備やワークに引っ掛けてしまう危険がなくなる。さらに、他の作業者に吊下げケーブル２３及び無線送信機用ホルダー２１をぶつける危険がなくなる。
【００３１】
図６は、無線送信機５が収容された無線送信機用ホルダー２１を巻上機１の収納器４１に保持した状態である。
無線操作を一時的に中断する場合は、無線送信機５を無線送信機５用ホルダー２１にワンタッチで装着することが可能である。
【００３２】
図２に示すように、無線送信機用ホルダー２１には係止爪２６が設けられている。無線送信機５を無線送信機用ホルダー２１に装着した際に、係止爪２６が無線送信機５の係止穴３２とスナップフィットすることで無線送信機５の落下を防ぐことができる。また、無線送信機用ホルダー２１と無線送信機５はスナップフィット結合しているため、工具を用いることなく取り外しが可能である。
【００３３】
無線送信機５を無線送信機用ホルダー２１にセットすると、無線送信機用ホルダー２１の充電端子２４が無線送信機５の充電端子３１に接続される。これにより、無線送信機５の充電が可能となる。操作の一時中断時にも、その都度、無線送信機５の充電が可能となり、作業中の突然の無線送信機５の充電不足による作業中断を回避することができる。
【００３４】
従来では、作業中に無線送信機５を操作しない場合には、無線送信機５をポケットに入れるか、一時的に作業台に置くなどしていた。実施例では、無線送信機５を収納器４１に保持された無線送信機用ホルダー２１の収容ケース２２に収容することにより、無線送信機５をポケットに入れる煩わしさや、無線送信機５を紛失する心配がなくなる。
【００３５】
図４は、無線送信機用ホルダー２１を巻上機１の収納器４１から取り外した状態である。
無線送信機５を無線送信機用ホルダー２１の収容ケース２２に収容した有線状態で操作する。日本においてはクレーンにおける無線の操作には特定の免許が必要であり、図４の形態によると操作者が無線免許を有していなくても操作可能となる。
【００３６】
また、無線状態での無線送信機５の操作時に、予期せぬ充電不足が起きた場合の緊急用として図４の形態での使用が可能となる。この場合、無線送信機５の充電が可能となるため、無線送信機５の充電が終了すれば再度、無線操作が行えるようになる。
【００３７】
また、レール走行台車であるトロリー９が手動操作の場合は、図４の形態にて無線送信機用ホルダー２１の上部の吊下げケーブル２３を引っ張ることで、トロリー９を任意の場所に移動させることができる。
【００３８】
このように、実施例によれば、無線送信機５が作業の邪魔になったり無線送信機５を紛失してしまったり、操作者以外の者が不意に触って誤作動を起こしたりする問題をなくすことができる。さらに、無線送信機５の充電切れや電池の交換による作業中断を防止することができる。
【符号の説明】
【００３９】
１  巻上機
２  横行レール
３  制御盤
４  無線受信部
５  無線送信機
６  受信アンテナ
７  操作押しボタン
９  トロリー
２０  カギ穴
２１  無線送信機用ホルダー
２２  収容ケース
２３  吊下げケーブル
２４  充電端子
２５  電源ケーブル
２６  係止爪
２７  保持ワイヤ
２８  引掛爪
２９  シリンダー
３１  充電端子
３２  係止穴
４１  収納器
４４  爪受部
【図１】
2019094195.tif 000003
【図２】
2019094195.tif 000004
【図３】
2019094195.tif 000005
【図４】
2019094195.tif 000006
【図５】
2019094195.tif 000007
【図６】
2019094195.tif 000008